(57)【要約】      （修正有）【課題】磁気吸着が可能な低コストで軽量のパーテーション構造を提供する。【解決手段】パーテーション構造は、パネル１０と、外枠２０と、少なくとも一つの吸着部材３０と被吸着部材４０とを含む。外枠は、パネルの外周に嵌められて固定され、囲んだ後に互いに連接する上フレーム枠２１と、下フレーム枠と、第一フレーム側枠２３と、第二フレーム側枠２４とを含む。各フレーム枠は、アルミ押出によって内管部を有する管体に製作される。第一フレーム側枠に吸着部材の数に合わせた少なくとも一つの通過孔２３１が設けられ、第二フレーム側枠に被吸着部材の数に合わせた少なくとも一つの切り込み口２４１が設けられる。吸着部材は、第一フレーム側枠の内管部に入れられた後に互いに合わせられる二つのカバー体３１を有し、二つのカバー体の間に磁性部材３２が挟まれる。被吸着部材は第二フレーム側枠の内管部の中に入れられる固定ベース４１があり、固定ベースに磁気吸着部材４２が固定される。【選択図】図３
0003218596.tif 000002
【実用新案登録請求の範囲】
【請求項１】
パネルと、外枠と、少なくとも一つの吸着部材と少なくとも一つの被吸着部材とを含むパーテーション構造であって、
前記外枠は、前記パネルの外周に嵌められて固定され、囲んだ後に互いに連接する上フレーム枠と、下フレーム枠と、第一フレーム側枠と、第二フレーム側枠とを含み、前記上フレーム枠と、下フレーム枠と、第一フレーム側枠と、第二フレーム側枠とは予定形状の内管部を有する管体に製作され、前記第一フレーム側枠に前記吸着部材の数に合わせた少なくとも一つの通過孔が設けられ、前記第二フレーム側枠に前記被吸着部材の数に合わせた少なくとも一つの切り込み口が設けられ、
前記吸着部材は、前記第一フレーム側枠の内管部に入れられた後に互いに合わせられる二つのカバー体を有し、前記二つのカバー体の間に前記通過孔より入れられた磁性部材が挟まれ、前記磁性部材が前記の二つのカバー体の間に挟まれて固定される時、前記磁性部材の一つの側辺は前記通過孔より少し外へ突き出て伸び、
前記被吸着部材は、前記第二フレーム側枠の内管部の中に入れられる固定ベースを有し、前記固定ベースの断面形状は前記第二フレーム側枠の内管部と合わせられることにより、前記固定ベースが入れられた後に相対する前記切り込み口において位置限定でき、前記固定ベース中央に少なくとも一つのロック孔が設けられることで前記切り込み口によって磁気吸着部材と合致し、また前記固定ベースの外を覆った後、ネジの穿設によって前記磁気吸着部材が前記固定ベースに固定されることを特徴とするパーテーション構造。
【請求項２】
前記パネルは書き込み可能なホワイトボードであることを特徴とする請求項１のパーテーション構造。
【請求項３】
前記上フレーム枠と、下フレーム枠と、第一フレーム側枠と、第二フレーム側枠とは、コーナー部材によって連接されることを特徴とする請求項１のパーテーション構造。
【請求項４】
前記上フレーム枠と、下フレーム枠と、第一フレーム側枠と、第二フレーム側枠とは、アルミ押出によって予定形状の内管部を有する管体に製作されることを特徴とする請求項１のパーテーション構造。
【請求項５】
前記上フレーム枠と、下フレーム枠と、第一フレーム側枠と、第二フレーム側枠とは、鉄管で製作されることを特徴とする請求項１のパーテーション構造。
【請求項６】
前記第一フレーム側枠の上下に通過孔がそれぞれ設けられ、前記通過孔に前記吸着部材がそれぞれ取り付けられることを特徴とする請求項１のパーテーション構造。
【請求項７】
前記第二フレーム側枠の上下に切り込み口がそれぞれ設けられ、前記切り込み口に前記被吸着部材がそれぞれ取り付けられることを特徴とする請求項１のパーテーション構造。
【請求項８】
前記二つのカバー体の内面には互いに合わせた後に前記磁性部材に対して固定効果のある位置限定柱が設けられることを特徴とする請求項１のパーテーション構造。
【請求項９】
前記磁性部材は強力磁石であることを特徴とする請求項１のパーテーション構造。
【請求項１０】
前記磁性部材は強力磁石であり、また前記強力磁石の両側表面に金属板がそれぞれ吸着されることを特徴とする請求項１のパーテーション構造。
【請求項１１】
前記磁気吸着部材は金属板を曲げることにより製作されることを特徴とする請求項１のパーテーション構造。
【考案の詳細な説明】
【技術分野】
【０００１】
本考案はパーテーション構造に関し、特に外枠がアルミ押出方式で製作されるパーテーション構造に関する。
【背景技術】
【０００２】
従来のパーテーションの多くは図８に示されるように、主に該パーテーション５０の外枠５１の両側にそれぞれ少なくとも一つの磁石６０が埋めて設けられる。上述の外枠５１は磁石６０に吸着される中実柱状体であり、上述外枠５１は隣り合わせのもう一つのパーテーション５０が上述の磁石６０によって磁気吸着されることを提供し（図９に示されるように）、上述のパーテーション５０は組み合わせた後、互いに牽引されて位置限定される。
【０００３】
しかし、上述のような従来技術は実際に応用する中において依然、以下の問題点が存在する。上述磁石６０は上述の中実の外枠５１にだけ嵌められるため、もし該外枠５１が中空のアルミ押出材なら、該嵌め込みと直接に磁気吸着の方式で実施できないため、適用性が悪い。上述の外枠５１は中実状態を呈した時、コストが高いと重量が重いといった問題がある。
【０００４】
従って、上述のような従来のパーテーション構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
従来技術に存在する上述の欠点について解決し、改良したパーテーション構造を提供する。
【課題を解決するための手段】
【０００６】
パーテーション構造は、パネルと、外枠と、少なくとも一つの吸着部材と少なくとも一つの被吸着部材とを含む。そして、上述外枠は上述パネルの外周に嵌められて固定され、囲んだ後に互いに連接する上フレーム枠、下フレーム枠、第一フレーム側枠と第二フレーム側枠がある。該上フレーム枠、下フレーム枠、第一フレーム側枠と第二フレーム側枠はアルミ押出によって予定形状がある内管部の管体に製作される。上述第一フレーム側枠に上述吸着部材の数に合わせた少なくとも一つの通過孔が設けられ、上述第二フレーム側枠に上述被吸着部材の数に合わせた少なくとも一つの切り込み口が設けられる。吸着部材は、上述第一フレーム側枠の内管部に入れられた後に互いに合わせられる二つのカバー体を有する。該二つのカバー体の間に上述通過孔より入れられた磁性部材が挟まれ、上述磁性部材が上述の二つのカバー体の間に挟まれて固定される時、上述磁性部材の一つの側辺は上述通過孔より少し外へ突き出て伸び、被吸着部材は上述第二フレーム側枠の内管部の中に入れられる固定ベースがあり、該固定ベースの断面形状は上述第二フレーム側枠の内管部と合わせられることにより、上述固定ベースが入れられた後に相対する上述切り込み口において位置限定できる。上述固定ベース中央に少なくとも一つのロック孔が設けられることで上述切り込み口によって磁気吸着部材と合致し、また上述固定ベースの外を覆った後、さらにネジの穿設によって上述磁気吸着部材が上述固定ベースに固定される。これによって、改良したパーテーション構造が得られる。
【０００７】
本考案のパーテーション構造では、上述外枠の上フレーム枠、下フレーム枠、第一フレーム側枠と第二フレーム側枠はアルミ押出によって予定形状がある内管部の管体に製作されるため、全体の重量はさらに軽く、コストも低く、上述カバー体、固定ベースによって第一フレーム側枠、第二フレーム側枠の中に入れた後に固定されることで磁気吸着後に分離の過程において上述吸着部材と被吸着部材のひっくり返りも防止でき、該磁気吸着構造はアルミ押出の外枠においても適用される。
【図面の簡単な説明】
【０００８】
【図１】図１は、本考案に係るパーテーション構造を示す立体組み合わせ図及び局部拡大図である。
【図２】図２は、本考案のもう一つの角度の立体組み合わせ図及び局部拡大図である。
【図３】図３は、本考案に係るパーテーション構造を示す立体分解図である。
【図４】図４は、本考案に係るパーテーション構造を示す組み合わせ平面図及び局部拡大図である。
【図５】図５は、本考案に係るパーテーション構造を示す組み合わせ断面図である。
【図６】図６は、本考案に係るパーテーションが磁気吸着後の状態図である。
【図７】図７は、本考案に係るパーテーションが磁気吸着後の断面図である。
【図８】図８は、従来の構造図である。
【図９】図９は、従来構造の磁気吸着状態図である。
【考案を実施するための形態】
【０００９】
まず、図１から図５を参照されたい。本考案のパーテーション構造は、パネル１０と、外枠２０と、少なくとも一つの吸着部材３０と少なくとも一つの被吸着部材４０とを含む。そして、上述外枠２０は上述パネル１０の外周に嵌められて固定され、囲んだ後に互いに連接する上フレーム枠２１、下フレーム枠２２、第一フレーム側枠２３と第二フレーム側枠２４がある。該上フレーム枠２１、下フレーム枠２２、第一フレーム側枠２３と第二フレーム側枠２４はアルミ押出によって予定形状がある内管部の管体に製作される。上述第一フレーム側枠２３に上述吸着部材３０の数に合わせた少なくとも一つの通過孔２３１が設けられ、上述第二フレーム側枠２４に上述被吸着部材４０の数に合わせた少なくとも一つの切り込み口２４１が設けられる。吸着部材３０は、上述第一フレーム側枠２３の内管部に入れられた後に互いに合わせられる二つのカバー体３１を有する。該二つのカバー体３１の間に上述通過孔２３１より入れられた磁性部材３２が挟まれ、上述磁性部材３２が上述の二つのカバー体３１の間に挟まれて固定される時、上述磁性部材３２の一つの側辺は上述通過孔２３１より少し外へ突き出て伸び、被吸着部材４０は上述第二フレーム側枠２４の内管部の中に入れられる固定ベース４１があり、該固定ベース４１の断面形状は上述第二フレーム側枠２４の内管部と合わせられることにより、上述固定ベース４１が入れられた後に相対する上述切り込み口２４１において位置限定できる。上述固定ベース４１中央に少なくとも一つのロック孔４１１が設けられることで上述切り込み口２４１によって磁気吸着部材４２と合致し、また上述固定ベース４１の外を覆った後、さらにネジの穿設によって上述磁気吸着部材４２が上述固定ベース４１に固定される。
【００１０】
上述パネル１０は書き込み可能なホワイトボードであってよい。
【００１１】
上述上フレーム枠２１、下フレーム枠２２、第一フレーム側枠２３と第二フレーム側枠２４はコーナー部材２５によって連接される。
【００１２】
上述上フレーム枠２１、下フレーム枠２２、第一フレーム側枠２３と第二フレーム側枠２４は鉄管で製作されてもよい。
【００１３】
上述第一フレーム側枠２３の上下に通過孔２３１がそれぞれ設けられ、該通過孔２３１に上述吸着部材３０がそれぞれ取り付けられる。
【００１４】
上述第二フレーム側枠２４の上下に切り込み口２４１がそれぞれ設けられ、該切り込み口２４１に上述被吸着部材４０がそれぞれ取り付けられる。
【００１５】
上述二つのカバー体３１の内面には互いに合わせた後に上述磁性部材３２に対して固定効果のある位置限定柱が設けられる。
【００１６】
上述磁性部材３２は強力磁石である。
【００１７】
上述磁性部材３２は強力磁石であり、また該強力磁石の両側表面に金属板３２１がそれぞれ吸着される。
【００１８】
上述磁気吸着部材４２は金属板を曲げることにより製作される。
【００１９】
上述磁気吸着部材４２はＷ状に曲げられる。
【００２０】
引き続き図６と図７を参照されたい。実際に使用する時、上述外枠２０にある被吸着部材４０は隣り合わせのもう一つのパーテーションが上述吸着部材３０によって磁気吸着するために提供されることで、上述パーテーションが組み合わせた後に互いが牽引されて位置限定でき、また上述外枠２０の上フレーム枠２１、下フレーム枠２２、第一フレーム側枠２３と第二フレーム側枠２４はアルミ押出によって予定形状がある内管部の管体に製作されるため、全体の重量はさらに軽く、コストも低い。上述カバー体３１、固定ベース４１は第一フレーム側枠２３、第二フレーム側枠２４に入れられた後に固定されることで磁気吸着後に分離の過程において上述吸着部材３０と被吸着部材４０のひっくり返りも防止でき、該磁気吸着構造はアルミ押出の外枠２０においても適用される。
【００２１】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２２】
１０              パネル
２０              外枠
２１              上フレーム枠
２２              下フレーム枠
２３              第一フレーム側枠
２３１            通過孔
２４              第二フレーム側枠
２４１            切り込み口
２５              コーナー部材
３０              吸着部材
３１              カバー体
３２              磁性部材
３２１            金属板
４０              被吸着部材
４１              固定ベース
４１１            ロック孔
４２              磁気吸着部材
[従来]
５０              パーテーション
５１              外枠
６０              磁石      
【図１】
0003218596.tif 000003
【図２】
0003218596.tif 000004
【図３】
0003218596.tif 000005
【図４】
0003218596.tif 000006
【図５】
0003218596.tif 000007
【図６】
0003218596.tif 000008
【図７】
0003218596.tif 000009
【図８】
0003218596.tif 000010
【図９】
0003218596.tif 000011